(57)【要約】      （修正有）【課題】外部の影響を受けて、ピストンの往復運動が正常に行われず、吸入管と排出管の圧の変化に応じて、ピストンの往復運動速度が変化され、ピストンの作動不能によって流体吸入および排出動作が行われなくなる問題を解決する。【解決手段】油圧複動ハンドポンプは、上面に高、低圧側流体供給溝１０１を形成し、底面に高、低圧側流体供給溝と連通された流体流入口１０３を形成し、側面に流体排出口を形成したボディー１００を備え、高、低圧側流体供給溝にピストン２００が挿入結合され、該ピストンの上端をボディーの低圧側流体供給溝の間に回転可能に設置されたつまみ３００に連結固定し、つまみでピストンを交差反復的にポンピングすることでピストンが互いに交差反復的に昇降動作し流体供給溝の高、低圧側流体供給溝に流体を供給し、該高、低圧側流体供給溝内の流体を押し出してボディーの流体排出口を通じて流体を排出する。【選択図】図２
2016217354.tif 000002
【特許請求の範囲】
【請求項１】
貯蔵タンク（T）の上面に設置され、上面に互いに対向するように一対で陥没形成されて流体を供給される低圧側流体供給溝（101）が形成され、前記低圧側流体供給溝（101）の下方に前記低圧側流体供給溝（101）と連通して前記低圧側流体供給溝（101）の直径よりも相対的に小さく形成された高圧側流体供給溝（102）が形成されており、底面に前記高、低圧側流体供給溝（102、101）と連通され、前記貯蔵タンク（T）から流体を供給されて、前記高、低圧側流体供給溝（102、101）に流体を供給する流体流入口（103）が形成されており、一側面または両側面に、前記高、低圧側流体供給溝（102、101）と連通して前記高、低圧側流体供給溝（102、101）内の流体が外部に吐出するように案内する流体排出口（104）が形成された、ボディー（100）と、
前記高、低圧側流体供給溝（102、101）に挿入結合され、前記高、低圧側流体供給溝（102、101）に沿って昇降動作されて、前記高、低圧側流体供給溝（102、101）に流体を供給する、あるいは前記高、低圧側流体供給溝（102、101）内の流体を前記流体排出口（104）に押し出すピストン（200）と、
棒状に前記ボディー（100）の低圧側流体供給溝（101）との間に回転可能に設置され、その外面が前記ピストン（200）に結合されて、前記ピストン（200）を交差反復的にポンピングするつまみ（300）と、
で構成されていることを特徴とする油圧複動ハンドポンプ。
【請求項２】
前記ボディー（100）は、
一面から他面方向に水平に貫通形成されて、前記流体流入口（103）と直交されるように連通される流体誘導通路（105）を形成し、前記低圧側流体供給溝（101）と前記流体誘導通路（105）との間に前記流体誘導通路（105）内の流体を前記低圧側流体供給溝（101）に案内する低圧側流体誘導通路（101a）を形成し、前記高圧側流体供給溝（102）と前記流体誘導通路（105）との間に前記流体誘導通路（105）内の流体を、前記高圧側流体供給溝（102）に案内する高圧側流体誘導通路（102a）を形成する
ことを特徴とする請求項１に記載の油圧複動ハンドポンプ。
【請求項３】
前記ボディー（100）は、
底面にバイパス排出口（106）が形成されており、
前記バイパス排出口（106）と前記低圧側流体供給溝（101）との間に前記低圧側流体供給溝（101）内の流体を前記バイパス排出口（106）に案内するバイパス通路（106a）が形成されており、
前記バイパス排出口（106）に前記低圧側流体供給溝（101）内の圧力が定められた圧以上に上昇されると、開放されて前記バイパス排出口（106）を通じて流体が前記ボディー（100）の外部に排出されるようにするリリーフ弁（107）がさらに設置されることを特徴とする請求項１又は２に記載の油圧複動ハンドポンプ。
【請求項４】
前記ボディー（100）は、
前記流体誘導通路（105）と前記流体排出口（104）との間に、前記高、低圧側流体誘導通路（102a、101a）と連通して、前記高、低圧側流体誘導通路（102a、101a）に流体を供給する、または、前記高、低圧側流体供給溝（102、101）で前記高、低圧側流体誘導通路（102a、101a）を通じて排出される流体を前記流体排出口（104）を通じて吐出するように案内する流体流れ制御部（110）をさらに含むことを特徴とする請求項２に記載の油圧複動ハンドポンプ。
【請求項５】
前記流体流れ制御部（110）は、
前記流体誘導通路（105）と前記高、低圧側流体誘導通路（102a、101a）を連通させる第１流路（111）と、
前記第１流路（111）と前記流体排出口（104）との間を連通する第２流路（112）と、
前記第１流路（111）に挿入されて前記第１流路（111）を開閉する遮断ボール（113）と、
前記第２流路（112）に挿入されて、前記遮断ボール（113）が前記第１流路を密閉するように前記遮断ボール（113）を加圧する弾性バネ（114）と、
で構成されていることを特徴とする請求項４に記載の油圧複動ハンドポンプ。
【発明の詳細な説明】
【技術分野】
【０００１】
本発明は、ハンドポンプに関し、より詳細には、高、低圧側流体供給溝内に設置された一対のピストンが互いに交差反復的に昇降動作されて、高、低圧側流体供給溝内の流体をボディーの外部に吐出する油圧複動ハンドポンプ（Hydraulic double-acting hand pump）に関する。
【背景技術】
【０００２】
一般的に、ポンプは圧力作用によって流体を管を通じて輸送したり、低圧の容器の中にある流体を管を通じて高圧の容器の中に圧送したりする機械である。
【０００３】
このとき、ポンプは、水だけでなく、石油、薬品またはパルプ、ビスコースなどの特殊な流体輸送にも使用される。
【０００４】
ここで、ポンプは、その内部に送出弁と吸入弁を備え、ピストンの往復運動によって送出弁と吸入弁が交互に開閉されて液体を吸入、送出するものである。
【０００５】
特許文献１は、従来の往復動式電磁ポンプを示すものであって、これを参照すると、中空形状のシリンダと、このシリンダ内に設置されて、左右側方向に往復運動するピストンと、前記シリンダ外周面を囲うように設けられて、前記ピストンに磁力を付与するソレノイドと、前記シリンダの両端に前記シリンダ内に流体を供給する吸入管及び前記シリンダ内の流体を前記シリンダの外部に排出する排出管を形成する。
【０００６】
ここで、前記ソレノイドの磁力により前記ピストンが前記シリンダ内で左側方向に移動されると、前記シリンダ内の左側空間に残留している流体が左側に形成された前記排出管を通じて外部に排出されると同時に、右側に形成された前記吸引管を通じて流体が供給されて、前記シリンダ内の右側空間に流体が供給される。
【０００７】
以後、前記と同様の方法により、前記ピストンが前記シリンダ内で右側方向に移動されると、前記シリンダ内の右側空間に残留した流体が前記ピストンに押されて右側に形成された前記排出管を通じて前記シリンダの外部に排出される。
【０００８】
これと同時に、左側に形成された前記吸引管を通じて流体が前記シリンダ内の左側空間に供給される。
【０００９】
すなわち、前記ピストンが前記ソレノイドにより前記シリンダ内で左、右側方向に往復運動しながら、前記シリンダ内の流体を外部に押し出す同時に、前記シリンダ内に流体を強制吸入することである。
【００１０】
しかしながら、前記特許文献１は、ソレノイドとピストンとの間の磁力が、外部の影響を受けて、ピストンの往復運動が正常に行われず、吸入管と排出管の圧の変化に応じて、ピストンの往復運動速度が変化され、シリンダ内の圧が上昇してソレノイドの磁力よりも相対的に高くなると、ピストンの動作が停止され、これにより、ピストンの作動不能によって流体吸入および排出動作が行われなくて製品の信頼性が低下するという問題がある。
【先行技術文献】
【特許文献】
【００１１】
【特許文献１】KR10-0199658 B1
【発明の概要】
【発明が解決しようとする課題】
【００１２】
本発明は、上述のような問題点を解決するためのものであって、本発明の目的は、上面に低圧側流体供給溝を形成し、この低圧側流体供給溝の下方に高圧側流体供給溝を形成し、底面に高、低圧側流体供給溝と連通された流体流入口を形成し、側面に流体排出口を形成したボディーを備え、高、低圧側流体供給溝に昇降動作されるピストンを挿入結合し、このピストンの上端をボディーの低圧側流体供給溝の間に回転可能に設置されたつまみに連結固定して、つまみでピストンを交差反復的にポンピングすることにより、ピストンが互いに交差反復的に昇降動作されながら流体供給溝の高、低圧側流体供給溝に流体を供給するが、この高、低圧側流体供給溝内の流体を押し出してボディーの流体排出口を通じて流体を排出する油圧複動ハンドポンプを提供することである。
【００１３】
本発明の他の目的は、高、低圧側流体供給溝内の流体をピストンで均等に押し出すが、低圧側流体供給溝内に圧力が上昇されると、低圧側流体供給溝内の流体をバイパス通路を通じて外部に排出するとともに、高圧側流体供給溝内の流体を連続的に押し出して流体を流体排出口に排出する油圧複動ハンドポンプを提供することである。
【課題を解決するための手段】
【００１４】
このような前記の目的を達成するための本発明の油圧複動ハンドポンプは、貯蔵タンク上面に設置され、上面に互いに対向するように一対に陥没形成されて、流体を供給される低圧側流体供給溝が形成され、前記低圧側流体供給溝下方に前記低圧側流体供給溝と連通して前記低圧側流体供給溝の直径よりも相対的に小さく形成された高圧側流体供給溝が形成されており、底面に前記高、低圧側流体供給溝と連通られるが、前記貯蔵タンクから液体を供給されて、前記高、低圧側流体供給溝に流体を供給する流体流入口が形成されており、一側面または両側面に、前記高、低圧側流体供給溝と連通して前記高、低圧側流体供給溝内の流体が外部に吐出するように案内する流体排出口を形成しているボディーと;前記高、低圧側流体供給溝に挿入結合され、前記高、低圧側流体供給溝に沿って昇降動作されて、前記高、低圧側流体供給溝に流体が供給されるようにしたり、あるいは、前記高、低圧側流体供給溝内の流体を前記流体排出口に押し出したりするピストン、及び、棒状で前記ボディーの低圧側流体供給溝の間に回転可能に設置されるが、その外面が前記ピストンに結合されて前記ピストンを交差反復的にポンピングするつまみ、から構成されることを特徴とする。
【００１５】
本発明の油圧複動ハンドポンプにおいて、前記ボディーは、一面でから他面方向に水平に貫通形成されて、前記流体流入口と直交されるように連通される流体誘導通路を形成し、前記低圧側流体供給溝と、前記流体誘導通路の間に前記流体誘導通路内の流体を、前記低圧側流体供給溝に案内する低圧側流体誘導通路を形成し、前記高圧側流体供給溝と、前記流体誘導通路の間に前記流体誘導通路内の流体を、前記高圧側流体供給溝に案内する高圧側流体誘導通路を形成することを特徴とする。
【００１６】
本発明の油圧複動ハンドポンプにおいて、前記ボディーは、底面にバイパス排出口が形成されており、前記バイパス排出口と前記低圧側流体供給溝の間に前記低圧側流体供給溝内の流体を前記バイパス排出口に案内するバイパス通路が形成されており、前記バイパス排出口に前記低圧側流体供給溝内の圧力が定められた圧力以上に上昇されると、開放されて前記バイパス排出口を通じて流体が前記ボディーの外部に排出されるようにするリリーフ弁がさらに設置されることを特徴とする。
【００１７】
本発明の油圧複動ハンドポンプにおいて、前記ボディーは、前記流体誘導通路と前記流体排出口との間に、前記高、低圧側流体誘導通路と連通して、前記高、低圧側流体誘導通路に流体を供給したり、または前記高、低圧側流体供給溝で、前記高、低圧側流体誘導通路を通じて排出される流体を前記流体排出口を通じて吐出するように案内する流体流れ制御部をさらに含むことを特徴とする。
【００１８】
本発明の油圧複動ハンドポンプにおいて、前記流体流れ制御部は、前記流体誘導通路と前記高、低圧側流体誘導通路を連通させる第1流路と、前記第1流路と前記流体排出口との間を連通する第2流路と、前記第1流路に挿入されて前記第1流路を開閉する遮断ボールと、前記第2流路に挿入されて、前記遮断ボールが前記第1流路を密閉するように、前記遮断ボールを加圧する弾性バネと、から構成されることを特徴とする。
【発明の効果】
【００１９】
本発明によれば、ユーザがつまみをポンピングして、一対のピストンを同時に作動させて流体の供給及び排出が同時に進行され、流体排出時に低圧側流体供給溝内の圧力が定められた圧力以上に上昇すると、リリーフ弁が開放されて、低圧側流体供給溝内の流体を貯蔵タンクにバイパスさせ、低圧側流体供給溝内の流体のバイパスで低圧側流体供給溝内の圧力が低下し、この圧力低下によりつまみに付与される圧力が急激に低下してユーザが簡単につまみをポンピングすることができ、これにより、高圧側流体供給溝内の流体を、ユーザが簡単に押し出して、流体排出口を通じて流体を連続的に押し出して、製品の信頼性が向上されるという利点がある。
【図面の簡単な説明】
【００２０】
【図１】本発明による油圧複動ハンドポンプを示す斜視図である。
【図２】図１の分解斜視図である。
【図３】本発明による油圧複動ハンドポンプを作動させる状態を示す斜視図である。
【図４】本発明による油圧複動ハンドポンプの流体の流れを示す作動説明図である。
【図５】本発明による油圧複動ハンドポンプの流体の流れを示す作動説明図である。
【図６】本発明による油圧複動ハンドポンプの低圧側流体供給溝内の流体がバイパスされる流体流れ動作説明図である。
【図７】本発明による油圧複動ハンドポンプの流体流れ制御部の動作説明図である。
【発明を実施するための形態】
【００２１】
以下、本発明の実施例を添付図面を参照して、さらに詳細に説明する。
【００２２】
図１ないし図３を参照すると、ボディー100は、貯蔵タンクT上面に設置され、上面に互いに対向されるように一対で陥没形成されて流体を供給される低圧側流体供給溝101が形成され、前記低圧側流体供給溝101の下方に前記低圧側流体供給溝101と連通して前記低圧側流体供給溝101の直径よりも相対的に小さく形成された高圧側流体供給溝102が形成されており、底面に前記高、低圧側流体供給溝102、101と連通し、前記貯蔵タンクTから流体を供給されて、前記高、低圧側流体供給溝102、101に流体を供給する流体流入口103が形成されており、一側面または両側面に、前記高、低圧側流体供給溝102、101と連通して前記高、低圧側流体供給溝102、101内の流体が外部に吐出するように案内する流体排出口104が形成されている。
【００２３】
前記ボディー100は、前記流体流入口103を通じて流体を供給されて、前記高、低圧側流体供給溝102、101に供給する。
【００２４】
前記ボディー100は、前記高、低圧側流体供給溝102、101のそれぞれに流体を供給される。
【００２５】
前記高、低圧側流体供給溝102、101は、昇降動作される前記ピストン200によってその内部に吸入圧力と加圧圧力を形成する。
【００２６】
前記ボディー100は、前記高、低圧側流体供給溝102、101の一つに流体を吸入する吸入圧力が発生した場合、前記高、低圧側流体供給溝102、101の他の一つに流体を押し出す加圧圧力が形成される。
【００２７】
前記ボディー100は、一面から他面方向に水平に貫通形成されて、前記流体流入口103と直交されるように連通される流体誘導通路105を形成し、前記低圧側流体供給溝101と前記流体誘導通路105との間に前記流体誘導通路105内の流体を、前記低圧側流体供給溝101に案内する低圧側流体誘導通路101aを形成し、前記高圧側流体供給溝102と前記流体誘導通路105との間に前記流体誘導通路105内の流体を、前記高圧側流体供給溝102に案内する高圧側流体誘導通路102aを形成する。
【００２８】
前記流体誘導通路105の両端は、仕上げ部材(図示せず)によって閉鎖されて両端を通じて流体が吐出されることが防止される。
【００２９】
前記ボディー100は、底面にバイパス排出口106が形成されており、前記バイパス排出口106と前記低圧側流体供給溝101との間に前記低圧側流体供給溝101内の流体を前記バイパス排出口106に案内するバイパス通路106aが形成されており、前記バイパス排出口106に前記低圧側流体供給溝101内の圧力が定められた圧力以上に上昇されると、開放されて前記バイパス排出口106を通じて流体が前記ボディー100の外部に排出されるようにするリリーフ弁107がさらに設置される。
【００３０】
前記バイパス排出口106は、前記低圧側流体供給溝101内の流体を前記貯蔵タンクTに排出する。
【００３１】
前記リリーフ弁107は、前記バイパス排出口106に移動された流体が前記ボディー100の外部に排出されることを遮断するが、前記低圧側流体供給溝101内の圧力上昇によって開閉動作されて、前記バイパス排出口106を通じて流体が前記ボディー100の外部に排出されるようにする。
【００３２】
前記リリーフ弁107は、定められた圧力が付与されると、開閉動作されて流体を通過させ、開閉動作時点の圧力は、ユーザにより調節することができる。
【００３３】
前記ボディー100は、前記流体誘導通路105と前記流体排出口104との間に、前記高、低圧側流体誘導通路102a、101aと連通して、前記高、低圧側流体誘導通路102a、101aに流体を供給したり、または、前記高、低圧側流体供給溝102、101で前記高、低圧側流体誘導通路102a、101aを通じて排出される流体を前記流体排出口104を通じて吐出するように案内する流体流れ制御部110をさらに含む。
【００３４】
前記流体流れ制御部110は、前記流体誘導通路105と前記高、低圧側流体誘導通路102a、101aを連通させる第1流路111と、前記第1流路111と前記流体排出口104との間を連通する第2流路112と、前記第1流路111に挿入されて前記第1流路111を開閉する遮断ボール113と、前記第2流路112に挿入されて、前記遮断ボール113が前記第1流路を密閉するように、前記遮断ボール113を加圧する弾性バネ114と、で構成される。
【００３５】
前記第1流路111は、前記流体誘導通路105内の流体が前記高、低圧側流体誘導通路102、101に供給されるように案内する。
【００３６】
前記第2流路112は、前記高、低圧側流体誘導通路102、101を通じて排出される流体が前記流体排出口104を通じて前記ボディー100の外部に吐出するように案内する。
【００３７】
前記遮断ボール113は、前記高、低圧側流体誘導通路102a、101aと干渉しないように前記第1流路111に挿入結合され、前記高、低圧側流体誘導通路102a、101aに吸入される吸入圧により前記弾性バネ114を加圧しながら前記第1流路111から離脱されて、前記第1流路111を開放する。
【００３８】
前記遮断ボール113は、前記高、低圧側流体誘導通路102a、101aに排出される流体の加圧力及び前記弾性バネ114の復元力によって前記第1流路111方向に加圧されて前記第1流路111を遮断する。
【００３９】
前記弾性バネ114は、前記第1流路111から離脱された前記遮断ボール113を加圧して前記遮断ボール113を元位置に復帰させる。
【００４０】
ピストン200は、前記高、低圧側流体供給溝102、101に挿入結合され、前記高、低圧側流体供給溝102、101に沿って昇降動作されて、前記高、低圧側流体供給溝102、101に流体が供給されるようにする、あるいは、前記高、低圧側流体供給溝102、101内の流体を前記流体排出口104に押し出す。
【００４１】
前記ピストン200は、前記高、低圧側流体供給溝102、101の形状に対応するように上端の直径が下端の直径よりも相対的に大きく形成されたことが望ましい。
【００４２】
前記ピストン200は、前記つまみによって昇降動作される。
【００４３】
前記ピストン200は、昇降動作されて、前記高、低圧側流体供給溝102、101内に吸入圧力及び加圧圧力を形成する。
【００４４】
つまみ300は棒状であって、前記ボディー100の低圧側流体供給溝101との間に回転可能に設置されるが、その外面が前記ピストン200に結合されて、前記ピストン200を交差反復的にポンピングする。
【００４５】
前記つまみ300は、ユーザによって把持されて動作される。
【００４６】
前記のように構成される本発明による油圧複動ハンドポンプは、次のように使用される。
【００４７】
まず、ボディー100を流体が貯蔵された貯蔵タンクTの上面に密着固定し、このボディー100の流体流入口103と前記貯蔵タンクTとの間にホース(図示せず)を連結する。
【００４８】
そして、上下に連通して、互いに対称となるように一対に形成された前記ボディー100の高、低圧側流体供給溝102、101内にピストン200を挿入結合し、このピストン200の上端をつまみ300の外面に結合する。
【００４９】
このとき、前記つまみ300は、前記ボディー100の低圧側流体供給溝101との間に回転可能に設置されて、一対のピストン200を交差反復的に昇降移動させる。
【００５０】
以後、前記ボディー100の流体排出口104に流体の排出を案内するホース(図示すせず)を連結し、前記つまみ300を把持した状態で、前記つまみ300を下方に加圧する、あるいは前記つまみ300を上方に持ち上げる動作を繰り返すことになる。
【００５１】
そうすると、図４及び図５を参照すると、前記つまみ300の外面に連結された前記ピストン200のうちいずれか一つが前記ボディー100の高、低圧側流体供給溝102、101内の下方に移動され、他のピストン200が前記高、低圧側流体供給溝102、101の上方に露出される。
【００５２】
この時、下方に移動される前記ピストン200は、前記高、低圧側流体供給溝102、101内に加圧圧力を形成し、この加圧圧力により前記高、低圧側流体供給溝102、101内に収容されていた流体が前記ピストン200に押されて、前記高、低圧側流体誘導通路102a、101aを通じて排出される。
【００５３】
ここで、図７の（ｂ）を参照すると、前記高、低圧側流体誘導通路102a、101aを通じて排出された流体は、前記流体流れ制御部110の第1流路111に移動されて、前記遮断ボール113を前記第1流路111の方向に加圧する。
【００５４】
この時、前記遮断ボール113は、前記高、低圧側流体誘導通路102a、101aを通じて排出される流体と前記弾性バネ114に加圧されて前記第1流路111方向に移動される。
【００５５】
そうすると、前記遮断ボール113によって前記第1流路111が遮断されると同時に、前記第1流路111と連通した前記第2流路112に流体が移動され、この時、前記第2流路112に移動された流体が前記流体排出口104を通じて前記ボディー100の外部に排出される。
【００５６】
一方、上方に移動される前記ピストン200は、前記高、低圧側流体供給溝102、101内に吸入圧力を形成し、この吸入圧力により前記貯蔵タンクTに貯蔵されている流体が前記流体流入口103を通じて前記ボディー100の内部に供給される。
【００５７】
そして、前記流体流入口103を通じて前記ボディー100の内部に供給された流体は、前記流体誘導通路105及び前記流体流れ制御部110を通過して前記高、低圧側流体誘導通路102a、101aに移動されるが、前記高、低圧側流体誘導通路102a、101aを通じて前記高、低圧側流体供給溝102、101内に供給される。
【００５８】
ここで、図７の（ａ）を参照すると、前記流体流れ制御部110は、前記第1流路111を通じて流体を供給されると同時に、前記遮断ボール113を前記第2流路112の方向に押し出させて前記第1流路111が開放される。
【００５９】
この時、前記遮断ボール113は、前記弾性バネ114を加圧しながら前記第1流路111で押し出されて、前記第1流路111を開放する。
【００６０】
以降、開放された前記第1流路111に移動された流体は、前記第1流路111と連通された前記高、低圧側流体誘導通路102a、101aを通じて前記高、低圧側流体供給溝102、101内に供給される。
【００６１】
すなわち、前記のように、前記ピストン200が互いに交差反復的に昇降動作されて、前記ボディー100の高、低圧側流体供給溝102、101内に吸入圧力または加圧圧力を形成することにより、前記高、低圧側流体供給溝102、 101内に流体が供給されるか、あるいは、前記高、低圧側流体供給溝102、101内の流体が前記ボディー100の流体排出口104を通じて排出される。
【００６２】
一方、図６を参照すると、前記ピストン200を下降させて前記高、低圧側流体供給溝102、101内の流体を押し出すと、前記低圧側流体供給溝102、101内の流体中の一部が前記バイパス通路106aを通じて前記バイパス排出口106に移動され、このとき、前記バイパス排出口106に設置された前記リリーフ弁107が前記バイパス排出口106を通じて流体が前記ボディー100の外部に吐出されることを遮断する。
【００６３】
ここで、前記ピストン200によって、前記低圧側流体供給溝101内の圧力が上昇すると、この圧力により前記バイパス通路106a上の流体が前記リリーフ弁107を加圧することになり、この時、定められた圧以上に前記リリーフ弁107が加圧された時点で、前記リリーフ弁107が開放されて、前記バイパス排出口106を通じて流体が前記ボディー100の外部に吐出される。
【００６４】
この時、前記ボディー100の外部に吐出された流体は、前記貯蔵タンクTに再び流入される。
【００６５】
前記のように一対のピストン200がつまみ300によって交差反復的に昇降移動され、高、低圧側流体供給溝102、101内に流体を吸入する、あるいは高、低圧側流体供給溝102、101内の流体を前記流体排出口104を通じて排出する構造は、ユーザがつまみ300をポンピングして、一対のピストン200を同時に作動させて流体の供給及び排出が同時に進行し、流体排出時に低圧側流体供給溝101内の圧力が定められた圧以上に上昇すると、リリーフ弁107が開放されて低圧側流体供給溝101内の流体を貯蔵タンクTにバイパスさせ、低圧側流体供給溝101内の流体のバイパスで低圧側流体供給溝101内の圧力が低下し、この圧力低下によりつまみ300に付与される圧力が急激に低下して、ユーザが簡単につまみ300をポンピングすることができる。
【００６６】
以上で説明した本発明による油圧複動ハンドポンプは、前記した実施例に限定されず、以下の特許請求の範囲で請求する本発明の要旨を逸脱することなく、本発明が属する分野で通常の知識を有する者であれば、誰でも多様に変更して実施することができる範囲まで、その技術的な精神がある。
【符号の説明】
【００６７】
１００・・・ボディー
１０１・・・低圧側流体供給溝
１０１ａ・・・低圧側流体誘導通路
１０２・・・高圧側流体供給溝
１０２ａ・・・高圧側流体誘導通路
１０３・・・流体流入口
１０４・・・流体排出口
１０５・・・流体誘導通路
１０６・・・バイパス排出口
１０６ａ・・・バイパス通路
１０７・・・リリーフ弁
１１０・・・流体流れ制御部
１１１・・・第１流路
１１２・・・第２流路
１１３・・・遮断ボール
１１４・・・弾性バネ
２００・・・ピストン
３００・・・つまみ
Ｔ・・・貯蔵タンク
【図１】
2016217354.tif 000003
【図２】
2016217354.tif 000004
【図３】
2016217354.tif 000005
【図４】
2016217354.tif 000006
【図５】
2016217354.tif 000007
【図６】
2016217354.tif 000008
【図７】
2016217354.tif 000009